(57)【要約】【課題】靴の脱着が屈むことなくワンタッチででき、広い足の挿入口が得られ、足の挿入や脱着がスムーズに操作できる靴を提供するものである。【解決手段】開閉操作部３にて靴本体１の甲部１２の甲部カバー２を回動させることにより足の挿入口１４を開く靴であって、甲部カバー２を開き方向に押し上げる第１のバネ８と甲部カバー２が開き方向Ａに回動するのを阻止する係止部材７と甲部カバー２の回動の阻止を解除するボタン４とを有する開閉操作部３を靴本体１の甲部１２の上面でつま先１３側に設けて、このボタン４にて甲部カバー２の回動の阻止を解除することによる脱着性に優れた靴である。  【選択図】 図１
2009022345.tif 000002
【特許請求の範囲】
【請求項１】
開閉操作部にて靴本体の甲部の甲部カバーを回動させることにより足の挿入口を開く靴であって、甲部カバーを開き方向に押し上げる第１のバネと甲部カバーが開き方向に回動するのを阻止する係止部材と甲部カバーの回動の阻止を解除するボタンとを有する開閉操作部を靴本体の甲部の上面でつま先側に設けたことを特徴とする靴。
【請求項２】
前記開閉操作部は、前記係止部材を板状として、甲部カバーを回動させる歯車と、甲部カバーの下端と連結した第１のバネと、係止部材の一端を歯車の歯切り部と係合させるように押圧させる第２のバネと、係止部材の一端と歯車の歯切り部との係合を解除するボタンと、係止部材の下面に設けたストッパーとからなることを特徴とする請求項１記載の靴。
【発明の詳細な説明】
【技術分野】
【０００１】
本発明は、靴の脱着を屈むことなく容易に行うことができる靴に関する。      
【背景技術】
【０００２】
老人や妊婦や体の不自由な人にとって、運動靴のような履口が狭い靴を履く場合に履口部に足を脱着する動作は極めて困難であり、時には苦痛が伴っていた。そこで、足を脱着しやすくする靴が種々提案されている。
【０００３】
例えば、特許文献１において、甲被前方に切欠き部を形成し、切欠き部を甲部カバーで被覆し、尚且つ甲部カバーは下端辺のみを甲被に縫着して一体と成し、甲被カバーを前方に倒せば広い履き口を得ることができる構造の靴が提案されている。
【０００４】
また、特許文献２において、外側部、内側部、靴底部から成る靴本体及び胛部と爪先部から成る靴蓋部を有する靴において、該靴蓋部を別体で形成して前記靴蓋部と前記靴本体の先端部を縫着固定し、前記靴蓋部の両側及び前部と、対応する前記外側部と前記内側部にスライドファスナーを装着する。さらに踵履部を縦割りとして、該縦割り部にスライドファスナーを形成して開き自在とする。以上により、靴蓋部と踵履部を開きすれば靴が平面状に展開された状態となり、靴底内面に足を置いて、外側部、内側部、靴蓋部で足を包み込むように靴が提案されている。
【０００５】
【特許文献１】特開２００５−３３３号公報
【特許文献２】実用新案登録第３０４０２７１号公報
【発明の開示】
【発明が解決しようとする課題】
【０００６】
しかし、上記特許文献１の提案による靴および特許文献２の提案による靴にあっては、何れも脱着を容易に行うことができるが、屈みこんで手で行わなくてはならないなどの問題がある。
【０００７】
本発明は、上記問題点を解消し、屈むことが辛くなった、老人や妊婦や体の不自由な人が屈むことなく容易に靴の脱着ができる靴を提供することを目的とする。
【課題を解決するための手段】
【０００８】
開閉操作部にて靴本体の甲部の甲部カバーを回動させることにより足の挿入口を開く靴であって、甲部カバーを開き方向に押し上げる第１のバネと甲部カバーが開き方向に回動するのを阻止する係止部材と甲部カバーの回動の阻止を解除するボタンとを有する開閉操作部を靴本体の甲部の上面でつま先側に設けたことを特徴とする。
【０００９】
また、開閉操作部にて靴本体の甲部の甲部カバーを回動させることにより足の挿入口を開く靴の具体構成として、前記開閉操作部は、前記係止部材を板状として、甲部カバーを回動させる歯車と、甲部カバーの下端と連結した第１のバネと、係止部材の一端を歯車の歯切り部と係合させるように押圧させる第２のバネと、係止部材の一端と歯車の歯切り部との係合を解除するボタンと、係止部材の下面に設けたストッパーとからなることを特徴とする。
【発明の効果】
【００１０】
開閉操作部にて靴本体の甲部の甲部カバーを回動させることにより足の挿入口を開く靴であって、甲部カバーを開き方向に押し上げる第１のバネと甲部カバーが開き方向に回動するのを阻止する係止部材と甲部カバーの回動の阻止を解除するボタンとを有する開閉操作部を靴本体の甲部の上面でつま先側に設けることにより、屈むことが辛くなった老人や妊婦や体の不自由な人が屈むことなく足の挿入や脱着がスムーズに操作できる。
【００１１】
また、前記開閉操作部は、前記係止部材を板状として、甲部カバーを回動させる歯車と、甲部カバーの下端と連結した第１のバネと、係止部材の一端を歯車の歯切り部と係合させるように押圧させる第２のバネと、係止部材の一端と歯車の歯切り部との係合を解除するボタンと、係止部材の下面に設けたストッパーとからなり、簡単な構成で靴本体の甲部の甲部カバーを回動させることができ、屈んで操作することなく足の挿入口を開くことができる。
【発明を実施するための最良の形態】
【００１２】
本発明の実施例を図面に基づいて以下、説明する。
【００１３】
図２乃至図５において、１は靴本体で、前端にはつま先１３が、後端にはかかと１１がそれぞれ設けられており、かかと１１の上方には足の挿入口１４が設けられており、つま先１３と足の挿入口１４との間には甲部１２および甲部カバー２が設けられた構成である。甲部カバー２は開閉操作部３にて開き方向Ａに回動することにより足の挿入口１４が広く開き、甲部カバーが閉じ方向Ｂに回動することにより足の挿入口１４が図１に示す人Ｍが靴を装着した状態となるように開閉自在としている。
【００１４】
図６は開閉操作部３の構造を示し、開閉操作部３は、甲部１２のつま先１３側に設けた回動する板状の係止部材７と、甲部カバー２側に設けた歯車６と、甲部カバー２の下端２１と連結した第１のバネ８と、係止部材７の一端７Ａを歯車６の歯切り部６Ｂと係合させよう押圧させる第２のバネ９と、係止部材７の一端７Ａと歯車６の歯切り部６Ｂとの係合を解除するボタン４と、係止部材７の下面に設けたストッパー１０とからなり、この開閉操作部３は靴本体１の甲部１２の上面でつま先１３側に設けられている。
【００１５】
甲部１２の甲部カバー２側には歯車６が歯車軸６Ａを回転軸として回動自在に設けられている。甲部カバー２の下端２１は歯車軸６Ａと連結されており、甲部カバー２は第１のバネ８と連結させて開き方向Ａに押し上げられている。
【００１６】
甲部１２のつま先１３側に設けた開閉操作部３には、板状の係止部材７が設けられており、その中間部は支持軸５で回動する。係止部材７の一端７Ａは、係合方向Dに係止部材７を回動させることにより、歯車６の歯切り部６Ｂと係合させている。係止部材７の他端７Bには係止部材７の一端７Ａが歯車６の歯切り部６Ｂと係合するよう押圧させる第２のバネ９が設けられている。このようにして、甲部カバー２は、第１のバネ８により甲部カバー２を開き方向Ａに押し上げられる一方、甲部カバー２が開き方向Ａに回動するのを阻止する係止部材７が甲部１２に設けられている。
【００１７】
開閉操作部３の上面には外部に突出し係止部材７を回動操作するボタン４が設けられている。ボタン４を押して、係合解除方向Ｃに係止部材７を回動させることにより、係止部材７の一端７Ａと歯車６の歯切り部６Ｂとの係合を解除させて、甲部カバー２が開き方向Ａに回動して足の挿入口１４を開く。また、開いた甲部カバー２を押すことにより甲部カバー２は係合方向Ｄに回動するが、係止部材７の下面にストッパー１０が設けられており、係止部材７が必要以上に甲部カバー２が閉じ方向Ｂに回動するのを阻止している。
【００１８】
（作用）
図１において、人Ｍは立った状態で、靴本体１の甲部１２に開閉自在な甲部カバー２を設けた靴において、開閉操作部３のボタン４を杖Ｔで押すことで、甲部カバー２が回動して広い足の挿入口１４が得られ、靴の脱着が屈むことなくワンタッチででき、足の挿入や脱着がスムーズに操作できる。
【図面の簡単な説明】
【００１９】
【図１】本発明の実施例を適用した使用状態図である。
【図２】本発明の実施例を示す斜視図である。
【図３】本発明の実施例の靴本体の斜視図である。
【図４】本発明の実施例の甲部カバーの平面図である。
【図５】本発明の実施例を示す側面図である。
【図６】本発明の実施例の開閉操作部を示す部分断面図である。
【符号の説明】
【００２０】
１  靴本体
２  甲部カバー
３  開閉操作部
４  ボタン
５  支持軸
６  歯車
６Ａ  歯車軸
６Ｂ  歯切り部
７  係止部材
７Ａ  一端
７Ｂ  他端
８  第１のバネ
９  第２のバネ
１０  ストッパー
１１  かかと
１２  甲部
１３  つま先
１４  足の挿入口
２１  下端
Ａ  開き方向
Ｂ  閉じ方向
Ｃ  係合解除方向
Ｄ  係合方向
Ｍ  人
Ｔ  杖
【図１】
2009022345.tif 000003
【図２】
2009022345.tif 000004
【図３】
2009022345.tif 000005
【図４】
2009022345.tif 000006
【図５】
2009022345.tif 000007
【図６】
2009022345.tif 000008